(57)【要約】【課題】３原色のレーザビームをポリゴンミラーで反射させて走査露光を行う走査露光系を備え、環境温度が変化しても露光タイミングにズレを生ずることのないプリント装置を構成する。【解決手段】チャートプリント手段５６によって主走査チャートと副走査チャートとをプリントし、チャートにおいて視覚的にＣ（シアン）、Ｍ（マゼンタ）、Ｙ（イエロー）のラインのズレの最も小さいものを選択して、チャートのインデックス情報を入力することで、テーブル更新手段５５がチャートの露光を行ったタイミングにおける温度センサＳの計測温度と、補正値とを関連付けて補正テーブル５４に保存する。【選択図】図４
2007279125.tif 000002
【特許請求の範囲】
【請求項１】
複数のレーザ光源で発生させた異なる波長のレーザビームを、軸芯周りで回転するポリゴンミラーで反射させて走査露光を行う走査露光系を備え、前記ポリゴンミラーの回転に同期して画像データの主走査方向への濃度値を読み出し、複数の前記レーザビームの光量を調節する露光制御部を備えているプリント装置であって、
前記露光制御部は、前記異なる波長のレーザビームに対応した画像データの主走査方向での露光タイミングと、副走査方向で露光実行ラインとを設定する補正テーブルを備えると共に、
前記異なる波長のレーザビームによる較正チャートをプリントするチャートプリント手段と、前記走査露光系の温度を計測する温度センサとを備え、
このチャートプリント手段でプリント媒体にプリントされた較正チャートから最適な露光状態を選択し、この露光状態に対応する補正値と前記温度センサの計測温度とを関連付けて前記補正テーブルの露光タイミングを新たに設定するテーブル更新手段を備えているプリント装置。
【請求項２】
前記チャートプリント手段は、前記異なる波長のレーザビーム毎に、主走査方向での露光タイミングを予め設定されたステップで変化させ、夫々の露光タイミングを示すインデックス情報を前記プリント媒体にプリントした前記較正チャートとしての主走査チャートと、前記異なる波長のレーザビーム毎に、副走査方向での露光実行ラインを予め設定されたステップで変化させ、前記露光実行ラインとを示すインデックス情報を前記プリント媒体にプリントした前記較正チャートとしての副走査チャートとをプリントするように構成されると共に、
前記テーブル更新手段は、前記主走査チャートのインデックス情報と、副走査チャートのインデックス情報をオペレータが入力することにより、このインデックス情報と、これら主走査チャートと副走査チャートとがプリントされた際の前記温度センサの計測温度とから補正値を設定する請求項１記載のプリント装置。
【請求項３】
前記テーブル更新手段は、前記チャートプリント手段による前記主走査チャートと副走査チャートとのプリントを複数回行った後に、この複数の主走査チャートとのインデックス情報と、副走査チャートのインデックス情報をオペレータが入力することにより、この複数のインデックス情報が示す補正値の平均値から補正値を設定する請求項２記載のプリント装置。
【請求項４】
前記走査露光系が、前記レーザ光源としてＲ（赤）、Ｇ（緑）、Ｂ（青）の３原色に対応した３レーザビームを発生させるように構成され、前記露光制御部は、前記ポリゴンミラーで反射されたレーザビームを同期センサで受光したタイミングを基準にして、補正テーブルにおいて前記温度センサの計測温度と関連付けられた補正値に基づいてＲ（赤）、Ｇ（緑）、Ｂ（青）の３原色に対応した画像データの読み出し開始タイミングを設定する請求項１〜３のいずれか１項に記載のプリント装置。
【発明の詳細な説明】
【技術分野】
【０００１】
本発明は、複数のレーザ光源で発生させた異なる波長のレーザビームを、軸芯周りで回転するポリゴンミラーで反射させて走査露光を行う走査露光系を備え、前記ポリゴンミラーの回転に同期して画像データの主走査方向への濃度値を読み出し、複数の前記レーザビームの光量を調節する露光制御部を備えているプリント装置に関し、詳しくは、レーザビームによる露光位置を補正する技術に関する。
【背景技術】
【０００２】
上記のように構成されたプリント装置としては特許文献１に記載されるものが存在する。この特許文献１では、主走査方向補正部と副走査方向補正部と温度センサを備え、温度センサで計測された温度に基づいて、Ｒ（赤）、Ｇ（緑）、Ｂ（青）の３原色に対応した画像データをメモリ部から読み出すタイミングを主走査方向補正部と副走査方向補正部が補正することによって、主走査方向と副走査方向とにおける２原色の画像データの露光タイミングのズレを無くすように構成されている。
【０００３】
【特許文献１】特開２００３‐５１０７号公報
【発明の開示】
【発明が解決しようとする課題】
【０００４】
Ｒ（赤）、Ｇ（緑）、Ｂ（青）の３原色のレーザビームを走査する形態で印画紙に露光を行うプリント装置を例に挙げると、このプリント装置では、プリント装置を組立てる際には、画像データの１つの画素に対応する３つのレーザビームによる印画紙への照射位置の誤差をできるだけ小さくするように調節を行っており、ハードウエアで成る走査露光系の調節だけで適正な露光位置を設定できない場合には、主走査方向での露光タイミングと副走査方向での露光実行ラインとを補正するための補正テーブルを設定することにより、３原色のレーザビームの露光位置のズレを無くしていた。
【０００５】
このように露光位置にズレを生ずる原因としてはレーザビームの支持系の部材が熱膨張する他に、レーザビームを感光材料に導くｆθレンズの熱による変形が考えられ、特にコストダウンを行うためにｆθレンズを樹脂材料で構成した場合に、熱による影響が大きいものであった。
【０００６】
このように、レーザビームを用いたプリント装置では、使用する温度によって３原色のレーザビームが送られる経路に僅かなズレを生ずるものであり、このズレを補正するために、特許文献１に記載されたように温度センサの計測温度に基づいて補正を行うことが有効となる。
【０００７】
しかしながら、ハードウエアで成る走査露光系には個体差があるため、温度センサの計測温度に基づいて補正を行う場合には、決まった補正テーブル等を使用することができず、プリント装置毎に温度に対応した３種のレーザビームについて主走査方向と副走査方向とにおける補正値を予め取得して保存しておく必要があるばかりでなく、補正値を取得するために時間を要し、また、補正データを保存するためにメモリに記憶領域を必要とするものとなり改善の余地があった。
【０００８】
本発明の目的は、複数のレーザ光源で発生させた異なる波長のレーザビームをポリゴンミラーで反射させて走査露光を行うものにおいて、環境温度が変化しても露光位置にズレを生ずることのないプリント装置を合理的に構成する点にある。
【課題を解決するための手段】
【０００９】
本発明の特徴は、複数のレーザ光源で発生させた異なる波長のレーザビームを、軸芯周りで回転するポリゴンミラーで反射させて走査露光を行う走査露光系を備え、前記ポリゴンミラーの回転に同期して画像データの主走査方向への濃度値を読み出し、複数の前記レーザビームの光量を調節する露光制御部を備えているプリント装置において、
前記露光制御部は、前記異なる波長のレーザビームに対応した画像データの主走査方向での露光タイミングと、副走査方向で露光実行ラインとを設定する補正テーブルを備えると共に、
前記異なる波長のレーザビームによる較正チャートをプリントするチャートプリント手段と、前記走査露光系の温度を計測する温度センサとを備え、
このチャートプリント手段でプリント媒体にプリントされた較正チャートから最適な露光状態を選択し、この露光状態に対応する補正値と前記温度センサの計測温度とを関連付けて前記補正テーブルの露光タイミングを新たに設定するテーブル更新手段を備えている点にある。
【００１０】
この構成により、プリント装置を使用する環境においてチャートプリント手段により較正チャートをプリント媒体にプリントし、この較正チャートから最適な露光状態を選択することにより、テーブル更新手段が、最適な露光状態に対応する補正値を温度センサの計測温度と関連付けて補正テーブルを新たに設定することになる。このように補正テーブルが新たに設定された後には、温度センサの計測値に基づいて前記露光制御部が新たに設定された補正テーブルに基づいて異なる波長のレーザビームに対応した画像データの主走査方向での露光タイミングと、副走査方向で露光実行ラインとを設定することになる。その結果、複数のレーザ光源で発生させた異なる波長のレーザビームをポリゴンミラーで反射させて走査露光を行う走査露光を行うもので、環境温度が変化しても夫々のレーザビームによる露光位置にズレを生ずることがなく高品質の画像のプリントを行い得るプリント装置が構成された。
【００１１】
本発明は、前記チャートプリント手段は、前記異なる波長のレーザビーム毎に、主走査方向での露光タイミングを予め設定されたステップで変化させ、夫々の露光タイミングを示すインデックス情報を前記プリント媒体にプリントした前記較正チャートとしての主走査チャートと、前記異なる波長のレーザビーム毎に、副走査方向での露光実行ラインを予め設定されたステップで変化させ、前記露光実行ラインとを示すインデックス情報を前記プリント媒体にプリントした前記較正チャートとしての副走査チャートとをプリントするように構成されると共に、
前記テーブル更新手段は、前記主走査チャートのインデックス情報と、副走査チャートのインデックス情報をオペレータが入力することにより、このインデックス情報と、これら主走査チャートと副走査チャートとがプリントされた際の前記温度センサの計測温度とから補正値を設定しても良い。
【００１２】
この構成により、チャートプリント手段によって主走査チャートと副走査チャートとをプリント媒体にプリントし、主走査チャートと副走査チャートとから最適な露光状態を示すインデックス情報をオペレータが入力することにより、テーブル更新手段がインデックス情報と温度センサの計測温度とから露光タイミングと露光実行ラインとを設定することになり、補正データを入力する際の手間を軽減できる。
【００１３】
本発明は、前記テーブル更新手段は、前記チャートプリント手段による前記主走査チャートと副走査チャートとのプリントを複数回行った後に、この複数の主走査チャートとのインデックス情報と、副走査チャートのインデックス情報をオペレータが入力することにより、この複数のインデックス情報が示す補正値の平均値から補正値を設定しても良い。
【００１４】
この構成では、主走査チャートと副走査チャートとから最適な露光タイミングを示すインデックス情報をオペレータが複数回入力することで、その複数の入力によって指定された露光タイミングの平均値を補正値に設定することにより、誤差を低減して一層高品質の画像データのプリントが可能となる。
【００１５】
本発明は、前記走査露光系が、前記レーザ光源としてＲ（赤）、Ｇ（緑）、Ｂ（青）の３原色に対応した３レーザビームを発生させるように構成され、前記露光制御部は、前記ポリゴンミラーで反射されたレーザビームを同期センサで受光したタイミングを基準にして、補正テーブルにおいて前記温度センサの計測温度と関連付けられた補正値に基づいてＲ（赤）、Ｇ（緑）、Ｂ（青）の３原色に対応した画像データの読み出し開始タイミングを設定しても良い。
【００１６】
この構成により、走査露光系に３原色に対応した３レーザビームを発生させる光源を備えたものであっても、補正テーブルにおいて温度センサの計測値に関連付けられた補正値に基づいて３原色に対応した画像データの読み出し開始タイミングを設定する処理を行うことにより、露光タイミングを適正に維持することが可能となる。
【発明を実施するための最良の形態】
【００１７】
以下、本発明の実施形態を図面に基づいて説明する。
〔全体構成〕
図１に示すように露光ブロックＥｘと、現像ブロックＤｅと、乾燥ブロックＤｒとを筐体１０に収納してプリント装置が構成されている。前記筐体１０の外部には、プリント処理の後に筐体１０の上部から水平方向に送り出されるプリント媒体としての印画紙Ｐを搬送するベルト搬送機構１１を備え、このベルト搬送機構１１から送られる印画紙Ｐをオーダ単位で仕分けて集積するソータ（図示せず）を備えている。
【００１８】
前記現像ブロックＤｅは、発色現像槽と漂白定着槽と安定槽とで成る複数の現像処理槽１４を備えると共に、夫々の現像処理槽１４に印画紙Ｐを供給する搬送機構を備えている。前記乾燥ブロックＤｒは現像ブロックＤｅから送り出される印画紙Ｐを搬送する搬送機構と、この搬送機構で搬送される印画紙Ｐに対してヒータで加熱された乾燥空気を供給するブロワー１５とを備えている。
【００１９】
前記露光ブロックＥｘは、印画紙マガジンＭからの印画紙Ｐを前搬送ユニットＵｆで露光搬送ユニットＵｅに供給し、この露光搬送ユニットＵｅでは印画紙Ｐを副走査方向（図面では上方）に搬送しながら露光ユニットＥからのレーザビームで画像データの露光を行い、この露光搬送ユニットＵｅでの搬送時に露光された印画紙Ｐを後搬送ユニットＵｒで前記現像処理槽１４に送り込むよう基本的な処理形態が設定されている。
【００２０】
具体的に説明すると、前搬送ユニットＵｆは、２つの印画紙マガジンＭ、Ｍの一方のロール状の印画紙Ｐを、搬送ローラ１６によって引き出し、カッター１７でプリントサイズに切断し、裏面側に印字ヘッド１８によって必要な情報をプリントした後、フィーダ１９によって上方に送り露光搬送ユニットＵｅに供給する。
【００２１】
前記露光搬送ユニットＵｅは、前記フィーダ１９からの印画紙Ｐを受取ローラ２０で受け取り、この受取ローラ２０からの印画紙Ｐを駆動ローラ２１と従動ローラ２２とで成る２組の露光搬送ローラによって上方（副走査方向）に搬送しながら、露光位置Ｘにおいて前記露光ユニットＥからのレーザビームによって主走査方向に露光を行う。前記一対の駆動ローラ２１は搬送モータ２１Ｍ（図２を参照）からの駆動力で等速で駆動される。
【００２２】
この露光搬送ユニットＵｅでは、受取ローラ２０から送られる印画紙Ｐを、下側の露光搬送ローラで受け取る際には、従動ローラ２２を開放位置に設定しておき、印画紙Ｐが圧着可能な位置まで搬送されたタイミングで従動ローラ２２を圧着位置に切換え、これと同様に、上側の露光搬送ローラで印画紙Ｐを受け取る際には、従動ローラ２２を開放位置に設定しておき、印画紙Ｐが圧着可能な位置まで搬送されたタイミングで従動ローラ２２を圧着位置に切換えることにより、円滑な搬送を実現している。
【００２３】
前記後搬送ユニットＵｒは、前記露光搬送ユニットＵｅからの印画紙Ｐを、圧着型の複数の搬送ローラ２３を有した湾曲搬送部Ｕ１で搬送方向を縦方向から水平方向に変換し、一対のチャッカー２４を備えた振り分け搬送部Ｕ２で２列となる振り分け経路に振り分け、このように振り分けた印画紙Ｐを圧着型の複数の搬送ローラ２５を備えた導入搬送部Ｕ３から前記現像ブロックＤｅの現像処理槽１４に導入する。
【００２４】
前記露光ユニットＥは、図２及び図３に示すように、レーザビームを送り出す開口部に防塵ガラス３１を備えた密封構造となるアルミニウム合金等の軽金属合金のハウジング３２と、このハウジング３２の内部に収容したレーザ光源ユニットとで構成されている。レーザ光源ユニットは、Ｒ（赤）、Ｇ（緑）、Ｂ（青）の３原色のレーザ光源３３ｒ、３３ｇ、３３ｂと、Ｇ（緑）、Ｂ（青）との２つのレーザ光源３３ｇ、３３ｂからのレーザビームの強度（光量）を調節（変調）する音響光学変換素子で成る光量調節機構４４ｇ、４４ｂと、レーザビームを反射するビームミラー３５ｒ、３５ｇ、３５ｂと、このビームミラー３５ｒ、３５ｇ、３５ｂからのレーザビームが導かれるポリゴンミラー３６と、このポリゴンミラー３６を駆動回転する電動モータ３７と、ポリゴンミラー３６で反射されたレーザビームを露光位置Ｘの印画紙Ｐに導くｆθレンズ群３８と、ポリゴンミラー３６からのレーザビームが走査端に達したタイミングをタイミングミラー３９で反射されたレーザビームから検出する同期センサ４０とを備えている。
【００２５】
前記Ｒ（赤）のレーザ光源３３ｒは半導体レーザ型に構成され、前記Ｇ（緑）とＢ（青）とのレーザ光源３３ｇ、３３ｂは固体レーザ型に構成されている。Ｒ（赤）のレーザ光源３３ｒは供給電力の制御によって射出するレーザビームの光量を制御する。
【００２６】
前記ポリゴンミラー３６は、前記電動モータ３７からの駆動力により縦向き姿勢の軸芯Ｙ周りで回転自在に支持されている。この電動モータ３７は外部から駆動信号を供給することにより、駆動信号の周波数に対応した回転数で回転する構造のものが使用され、また、このポリゴンミラー３６は、軸芯Ｙに沿う方向視で正多角形となる外周面を平坦な鏡面に仕上ることにより複数の反射面３６ｍが形成されている。前記ｆθレンズ群３８は樹脂製の複数のシリンドリカルレンズを組み合わせて成り、ポリゴンミラー３６の回転によって主走査方向に等角度走査（一定の角速度で走査）されるレーザビームを、印画紙Ｐの感光面上で等速走査（一定の線速度で走査）するレーザビームに変換するよう機能する。
【００２７】
前記露光ユニットＥからＲ（赤）、Ｇ（緑）、Ｂ（青）の３原色のレーザビームを印画紙Ｐに照射して画像データの露光を行う露光制御部４５を、露光ユニットＥの下側に備えている。
【００２８】
〔制御構成〕
図４に示すように、前記露光制御部４５は、前記レーザ光源３３ｒと、光量調節機構４４ｇと、光量調節機構４４ｂとに光量制御情報を出力し、かつ、Ｒ（赤）、Ｇ（緑）、Ｂ（青）の３原色に対応した光量制御手段５０ｒ、５０ｇ、５０ｂで成る光量制御ユニット５０を備えている。この光量制御ユニット５０は、画像データ保存手段５１から画像データを取得する入力系を備えると共に、同期センサ４０の検出信号と、クロック発生手段５２で発生させたクロック信号と、タイミング設定手段５３からＲ（赤）、Ｇ（緑）、Ｂ（青）に対応したタイミング信号が入力する。
【００２９】
この露光制御部４５は、前記タイミング設定手段５３対してＲ（赤）、Ｇ（緑）、Ｂ（青）の補正値を与える補正テーブル５４を備え、この補正テーブル５４の補正値に対して新たに補正値を保存する又は補正値を更新するテーブル更新手段５５と、較正チャートのプリントを実現するチャートプリント手段５６とを備えている。また、前記タイミング設定手段５３と、テーブル更新手段５５に対して温度センサＳの計測温度が入力する信号系が形成され、テーブル更新手段５５にはキーボードやマウス（図示せず）からインデックス情報（後述する）が入力し、チャートプリント手段５６にはプリント実行情報が入力する。
【００３０】
〔露光処理〕
この露光制御部４５での露光処理の概要を図５のフローチャートのように示すことが可能である。つまり、前記画像データ保存手段５１がプリント対象とする画像データを取得して保存する（＃１０１ステップ）。このように保存する画像データはデジタルカメラで使用されたメディアから取得したものや、写真フィルムのコマ画像をフィルムスキャナによって光電変換して画像データとして取得したものである。
【００３１】
次に、温度センサＳの計測温度に対応した補正値を補正テーブル５４から抽出し、抽出した補正値に基づいてＲ（赤）、Ｇ（緑）、Ｂ（青）の３原色について主走査方向での露光開始タイミングと、副走査方向での露光実行ラインとをセットする（＃１０２、＃１０３ステップ）。
【００３２】
具体的に説明すると、前記補正テーブル５４には温度に関連付けてＲ（赤）、Ｇ（緑）、Ｂ（青）の３原色について補正値が保存されており、温度センサＳの計測温度に関連付けられた補正値が存在しない場合には、近似する計測温度の補正値が抽出される。この補正値は、同期センサ４０の検出タイミングを基準にした主走査方向での露光開始タイミングを示すものと、同期センサ４０の検出回数に対応した副走査方向での露光実行ラインを示すものとを含んでおり、この露光開始タイミングと露光実行ラインとを前記光量制御ユニット５０の光量制御手段５０ｒ、５０ｇ、５０ｂにセットすることになる。
【００３３】
次に、露光処理を実行する際には、露光制御部４５が同期センサ４０の検出回数を積算して、その積算値を前記光量制御ユニット５０に与える。この光量制御ユニット５０では、Ｒ（赤）、Ｇ（緑）、Ｂ（青）の３原色について既にセットされた補正値に基づいて、同期センサ４０がレーザビームを検出する毎に、この検出タイミングを基準にして露光実行ライン上で、かつ、露光開始タイミングで露光処理を開始する。つまり、光量制御ユニット５０が画像データ保存手段５１から画像データのから主走査方向に沿う１ラインのデータ（濃度値）をレーザ光源３３ｒ、光量調節機構４４ｇ、４４ｂのうち対応するものに伝送する処理を開始することにより露光処理を行い、この処理を１コマ分の画像データの露光が完了するまで１ライン毎反復して行う（＃１０４、＃１０５ステップ）。
【００３４】
つまり、露光ユニットＥでレーザビームの走査を行う際には、同期センサ４０がレーザビームを検出したタイミングを基準にして予め設定されたクロック数をカウントした時点で光量制御手段５０ｒ、５０ｇ、５０ｂがＲ（赤）、Ｇ（緑）、Ｂ（青）の３原色の画像データを読み出しを開始することで露光処理を実現するように、基本的な露光処理形態が設定されている。
【００３５】
しかしながら、印画紙Ｐの同じ位置に露光すべきＲ（赤）、Ｇ（緑）、Ｂ（青）の３原色のレーザビームの１つでも主走査方向に外れた場合（ズレを生じた場合）には、露光開始のタイミングを変更すること、すなわち、同期センサ４０の検出タイミングを基準にしてカウントするクロック数を変更することでズレを無くしており、印画紙Ｐの同じ位置に露光すべきＲ（赤）、Ｇ（緑）、Ｂ（青）の３原色のレーザビームの１つでも副走査方向に外れた場合（ズレを生じた場合）には、露光ラインを変更（ポリゴンミラー３６の反射面３６ｍを変更）することによって副走査方向でのズレを無くすように補正が行われるのである。
【００３６】
〔較正チャートのプリント〕
このプリント装置では、設置された環境の温度が想定したものでなかった場合、あるいは、環境温度が想定したものであっても経年変化で走査露光系に変化が生じた場合には、適正な補正が行えないため、前記チャートプリント手段５６が較正チャートをプリントし、このチャートからオペレータが最適な露光を実現する補正値を設定できるように構成され、その処理形態を図６のフローチャートのように示すことが可能である。
【００３７】
つまり、補正テーブル５４の補正値を取得し、温度センサＳの計測温度を取得する（＃２０１、＃２０２ステップ）。次に、この補正値と計測温度とに基づいて主走査チャートのイメージデータと、副走査チャートのイメージデータとを生成する（＃２０３、＃２０４ステップ）。
【００３８】
このようにイメージデータが生成された後に、プリント処理を実行し、計測温度を保存することになる（＃２０５、＃２０６ステップ）。
【００３９】
具体的に説明すると較正チャートは図８に示す主走査チャート６１と、図９に示す副走査チャート６２とで成り、主走査チャート６１では、露光エリア６１ＡにおいてＲ（赤）、Ｇ（緑）、Ｂ（青）の３原色に対応したＣ（シアン）、Ｍ（マゼンタ）、Ｙ（イエロー）の３原色のラインが主走査方向で露光タイミングを予め設定されたステップで変化させることにより形成されると共に、インデックスエリア６１Ｂにインデックス情報として符号が形成されている。尚、主走査チャート６１のイメージデータを生成する際に、露光タイミングを変化させるステップとしては、レーザビームによって印画紙Ｐ上に形成される１つのドットの直径より小さいことが好ましい。
【００４０】
前記副走査チャート６２では、２種の露光エリア６２ＡにおいてＲ（赤）、Ｇ（緑）に対応したＣ（シアン）、Ｍ（マゼンタ）のライン、及び、Ｇ（緑）、Ｂ（青）に対応したＭ（マゼンタ）、Ｙ（イエロー）のラインが副走査方向で露光タイミングを予め設定されたステップで変化させることによって形成されると共に、インデックスエリア６２Ｂにインデックス情報として符号が形成されている。尚、副走査チャート６２のイメージデータを生成する際に、露光実行ラインを変化させるステップとしては、ポリゴンミラー３６の反射面３６ｍによって決まるため、例えば、隣接する反射面３６ｍを連続してレーザビームを反射させて走査露光を行うものでは、露光実行ラインを変化させるステップとして１ライン単位になる。
【００４１】
〔更新処理〕
前述のように２種の較正チャートがプリントされた後には、図７のフローチャートに示す処理によって補正テーブル５４に補正値が保存される。
【００４２】
オペレータが補正テーブル５４を更新する処理を選択した状態で、主走査チャート６１の露光エリア６１ＡにおいてＣ（シアン）、Ｍ（マゼンタ）、Ｙ（イエロー）の３原色のラインが一致するものをオペレータが視覚的に選択し、選択したもののインデックスエリア６１Ｂの符号を判別し、これと同様に、副走査チャート６２の２種の露光エリア６２Ａにおいて、一致するものをオペレータが視覚的に選択し、選択したもののインデックスエリア６１Ｂの符号を判別し、キーボードやマウス等を介して入力する操作を行う（＃３０１ステップ）。
【００４３】
このようにインデックス情報が入力された後には、テーブル更新手段５５が、入力された符号に基づいて３種のレーザビームに対応して露光実行ラインと、露光開始タイミングとを示す補正値を生成する（＃３０２ステップ）。また、この更新処理では、温度センサＳが同じ温度を計測する状態で、較正チャートを複数回プリントし、このようにプリントした複数の較正チャート（主走査チャート６１と副走査チャート６２）に基づいて複数の補正値を求めた場合には、その補正値の平均値を保存すべき補正値に設定する。
【００４４】
このように補正値が設定された後には、較正チャートが露光された際における温度センサＳの計測温度と、この補正値とを関連付けて補正テーブルに保存する（＃３０２ステップ）。尚、このように補正値を保存する際には、同じ計測温度に関連付けられた補正値が既に存在する場合には、補正テーブル５４の補正値を更新し、同じ計測温度に関連付けられた補正値が存在しない場合には、補正テーブル５４に新たに補正値を保存することになる。
【００４５】
このように本発明によると、チャートプリント手段５６によって主走査チャート６１と副走査チャート６２との較正チャートのプリントを行い、チャートにおいて視覚的にＣ（シアン）、Ｍ（マゼンタ）、Ｙ（イエロー）のラインのズレの最も小さいものを選択して、そのインデックス情報を入力する操作を行うだけで、テーブル更新手段５５がチャートの露光を行ったタイミングにおける温度センサＳの計測温度と、補正値とを関連付けて補正テーブル５４に保存することになる。つまり、予め様々な温度に対応する補正値を保存する処理を行わずとも、そのプリント装置が使用される環境に最も適した補正値を設定して高品質のプリントを実現するのである。
【図面の簡単な説明】
【００４６】
【図１】プリント装置の縦断正面図
【図２】露光ユニットの構成を示す斜視図
【図３】露光ユニットの平面図
【図４】制御系のブロック回路図
【図５】プリント処理のフローチャート
【図６】チャートプリント処理のフローチャート
【図７】更新処理のフローチャート
【図８】主走査チャートの概要を示す図
【図９】副走査チャートの概要を示す図
【符号の説明】
【００４７】
３６          ポリゴンミラー
４０          同期センサ
４５          露光制御部
５４          補正テーブル
５５          テーブル更新手段
５６          チャートプリント手段
６１          主走査チャート
６２          副走査チャート
Ｐ            プリント媒体（印画紙）
Ｓ            温度センサ
【図１】
2007279125.tif 000003
【図２】
2007279125.tif 000004
【図３】
2007279125.tif 000005
【図４】
2007279125.tif 000006
【図５】
2007279125.tif 000007
【図６】
2007279125.tif 000008
【図７】
2007279125.tif 000009
【図８】
2007279125.tif 000010
【図９】
2007279125.tif 000011